【事件の表示】
　特願２０１２−５５３８０３「ビデオ信号処理」拒絶査定不服審判事件〔平成２３年　８月２５日国際公開、ＷＯ２０１１／１０２５９８、平成２５年　５月３０日国内公表、特表２０１３−５２０１２５〕について、次のとおり審決する。
【結　論】
　本件審判の請求は、成り立たない。
【理　由】
１．手続の経緯
　本願の手続の経緯の概要は、以下のとおりである。
国際出願日　：２０１０年１２月１３日
（パリ条約による優先権主張外国庁受理２０１０年２月１７日、米国）
手続補正　　：平成２４年１０月　５日
拒絶理由通知：平成２５年１１月１４日（起案日）
意見書　　　：平成２６年　２月１２日
手続補正　　：平成２６年　２月１２日
拒絶理由通知：平成２６年　７月１０日（起案日）
意見書　　　：平成２６年１０月１４日
拒絶理由通知：平成２７年　３月１２日（起案日）
意見書　　　：平成２７年　６月　４日
手続補正　　：平成２７年　６月　４日
拒絶査定　　：平成２７年１１月１３日（起案日）
審判請求　　：平成２８年　３月１６日
２．本願発明
　本願の請求項１−２１に係る発明は、平成２７年６月４日付けの手続補正で補正された特許請求の範囲の請求項１−２１に記載された事項により特定されるものと認められるところ、その請求項１に係る発明（以下、「本願発明」という。）は、以下のとおりのものである。
　なお、説明のために、ＡないしＦの記号を当審において付与した。以下、「構成Ａ」、「構成Ｂ」などと称することとする。
「　【請求項１】
Ａ　第１の解像度に対応する入力ビデオ信号の一部を選択し、前記部分をパーティションに分割するように適合されたプリプロセッサと、
Ｂ　第１の領域から第２の領域に前記パーティションを変換するように適合された第１の変換器と、
Ｃ　出力符号化ビデオ信号に対応し前記第１の解像度より低い解像度である第２の解像度に従って、前記第２の領域のそれぞれの前記パーティションから周波数領域に基づく１つの代表的な値を選択し、他の値を廃棄するように適合されたセレクタと、
Ｄ　前記代表的な値を収集して代表的な値のグループを形成するように適合されたコレクタと、
Ｅ　前記代表的なグループを符号化し、前記出力符号化ビデオ信号を生成するように適合された第１の符号化ユニットと
Ｆ　を備えるビデオ信号エンコーダ。」
３．引用発明
　原査定の拒絶理由に引用された特開２００６−３４５４３３号公報（以下、「引用例１」という。）には、「階層的動画像符号化装置、階層的動画像復号装置、およびその方法」として、以下の事項が記載されている。
ア．「【０００８】
　この発明に係る
階層的動画像符号化装置及び方法は、入力された画像データを所定のサイズの領域に分解し、
前記画像領域をさらに小さい階層化ブロックに分割し、それぞれの階層化ブロックに対して少なくとも１つの直流成分係数と少なくとも１つの交流成分係数に分解し、前記画像領域内のそれぞれの成分ごとに成分係数を成分ブロックとして出力
前記画像領域内の各成分ブロックを変換し変換係数を出力
前記変換係数をエントロピー符号化し、符号化データを出力する
イ．「【００１１】
　実施の形態１．
　以下、図面を参照して、この発明の実施の形態１における階層的動画像符号化装置について詳細に説明する。
　図１は、この発明の実施の形態１に係る階層的動画像符号化装置１００の構成を示すブロック図である。
　図１に示す
階層的動画像符号化装置１００
画像入力部１０１
階層化部１０２
差分データ生成部１０３
変換部１０４
エントロピー符号化部１０５
【００１２】
　
画像入力部１０１は、外部より入力される映像信号のフレーム内を分割してなるマクロブロック単位に所定の順次マクロブロック画像として出力する。
【００１３】
　
階層化部１０２は、入力されたマクロブロックをさらに小さいサイズのマイクロブロックに分割し、それぞれのマイクロブロックに対して直流成分と交流成分を分離する
【００１４】
　
直流成分と交流成分を分離する変換としては、例えばDiscrete Cosine Transform（ＤＣＴ）
などの直交変換
ウ．「【００１７】
　すなわち、
階層化部１０２は、
１６×１６画素サイズの輝度値信号のマクロブロックを２×２画素サイズのマイクロブロックに分割し、
得られた成分ごとにそれぞれ８×８画素サイズの成分ブロックを形成し、出力する。
直流成分で構成される成分ブロックを直流成分ブロック、それ以外の成分ブロックを交流成分ブロックと呼ぶ
【００１８】
　
差分データ生成部１０３は、
各成分ブロックの
差分データを出力する。
【００１９】
　
変換部１０４は、
差分データに対してたとえばＤＣＴなどの変換を行う。
【００２０】
　なお、図４に示すように、
変換部１０４は、直流成分ブロックを変換し直流成分変換係数を出力する直流成分変換部１０４１と、交流成分ブロックを変換し交流成分変換係数を出力する交流成分変換部１０４２とを備える
【００２１】
　
エントロピー符号化部１０５は、前記変換部１０４より出力される変換係数をエントロピー符号化し、
エ．「【００２６】
　次に、階層的動画像符号化装置１００の動作について説明する。
　図７は、階層的動画像符号化装置１００の動作を示すフローチャートである。
　まず、
画像入力部１０１は、外部より映像信号を入力し、映像信号のフレーム内を分割してなるマクロブロック単位に所定の順次マクロブロック画像として出力する
【００２７】
　次に、
階層化部１０２により、入力されたマクロブロックはさらに小さいサイズのマイクロブロックに分割され、それぞれのマイクロブロックに対して直流成分と交流成分を分離する階層化変換が行われ
【００２８】
　
差分データ生成部１０３において、
差分演算が行われ、差分データが出力される
【００２９】
　
前記差分データは、変換部１０４において変換され
【００３０】
　
前記変換係数は、エントロピー符号化部１０５においてエントロピー符号化され
オ．「【００３６】
　上述したように、実施の形態１によれば、
入力された画像データを所定のサイズの領域に分解し、
さらに小さい階層化ブロックに分割し、それぞれの階層化ブロックに対して少なくとも１つの直流成分係数と少なくとも１つの交流成分係数に分解し、前記画像領域内のそれぞれの成分ごとに成分係数を成分ブロックとして出力
前記画像領域内の各成分ブロックを変換た変換係数をエントロピー符号化し、符号化データを出力する
符号化データは直流成分と交流成分に分解されているため、直流成分のみを復号することにより低い解像度の再生画像を得ることができると同時に、交流成分も含めて復号すれば高い解像度の再生画像を得ることができる
　上記ア．〜オ．の記載、並びにこの分野における技術常識を考慮し、以下で検討する。
（１）上記オ．の「直流成分のみを復号することにより低い解像度の再生画像を得ることができると同時に、交流成分も含めて復号すれば高い解像度の再生画像を得ることができる」という記載から、直流成分は、低い解像度の再生画像を得るために必要な成分といえる。
　そうすると、上記ア．、オ．の記載から、引用例１には、入力された画像データを所定のサイズの領域に分解し、さらに小さい階層化ブロックに分割し、それぞれの階層化ブロックに対して少なくとも１つの直流成分係数と少なくとも１つの交流成分係数に分解し、前記画像領域内のそれぞれの成分ごとに成分係数を成分ブロックとして出力し、前記画像領域内の各成分ブロックを変換し変換係数を出力し、前記変換係数をエントロピー符号化し、低い解像度の再生画像を得るために必要な直流成分と、交流成分からなる符号化データを出力する階層的動画像符号化装置が記載されている。
（２）上記イ．の段落００１２、エ．の段落００２６の記載から、引用例１の階層的動画像符号化装置は、外部より入力される映像信号を１６×１６画素サイズのマクロブロック単位に分割して出力する画像入力部を備えるものである。
　また、上記イ．の段落００１４の「直流成分と交流成分を分離する変換としては、例えばDiscrete Cosine Transform（ＤＣＴ）やＨａａｒ変換などの直交変換がある。この発明は、直流成分と交流成分に分解できる変換であればいかなる変換でも有効である」との記載から、直流成分と交流成分を分離する変換としてＤＣＴを選択した場合について考えると、上記イ．の段落００１３、００１４、ウ．の段落００１７、エ．の段落００２７の記載から、引用例１の階層的動画像符号化装置は、
　画像入力部より入力された１６×１６画素サイズのマクロブロックをさらに小さい２×２画素サイズのマイクロブロックに分割し、
　それぞれのマイクロブロックに対して、ＤＣＴにより、直流成分と交流成分を分離し、
　得られた成分ごとにそれぞれ８×８画素サイズの直流成分ブロックと交流成分ブロックを出力する階層化部を備えるものである。
　ここで、「画像入力部より入力された１６×１６画素サイズのマクロブロックをさらに小さい２×２画素サイズのマイクロブロックに分割」の「画像入力部」は、「外部より入力される映像信号を１６×１６画素サイズのマクロブロック単位に分割して出力する画像入力部」を指すことから、引用例１の階層的動画像符号化装置は、
　外部より入力される映像信号を分割した１６×１６画素サイズのマクロブロックを、さらに小さい２×２画素サイズのマイクロブロックに分割し、
　それぞれのマイクロブロックに対して、ＤＣＴにより、直流成分と交流成分を分離し、
　得られた成分毎にそれぞれ８×８画素サイズの直流成分ブロック及び交流成分ブロックを出力する階層化部を備えるものである。
（３）上記ウ．の段落００１８〜００２１、エ．の段落００２８〜００３０の記載から、引用例１の階層的動画像符号化装置は、各成分ブロックの差分データを出力する差分データ生成部、差分データに対して直流成分ブロックを変換し直流成分変換係数を出力する直流成分変換部と交流成分ブロックを変換し交流成分変換係数を出力する交流成分変換部とを備える変換部、変換係数をエントロピー符号化するエントロピー符号化部を有するものである。
　したがって、引用例には以下の発明（以下、「引用発明」という。）が開示されている。
　なお、説明のために、ａないしｃの記号を当審において付与した。以下、「構成ａ」、「構成ｂ」などと称することとする。
「ａ−１　外部より入力される映像信号を分割した１６×１６画素サイズのマクロブロックを、さらに小さい２×２画素サイズのマイクロブロックに分割し、
　ａ−２　それぞれのマイクロブロックに対して、ＤＣＴにより、直流成分と交流成分を分離し、
　ａ−３　得られた成分ごとにそれぞれ８×８画素サイズの直流成分ブロック及び交流成分ブロックを出力する
　ａ−４　階層化部と、
　ｂ　各成分ブロックの差分データを出力する差分データ生成部、差分データに対して直流成分ブロックを変換し直流成分変換係数を出力する直流成分変換部と交流成分ブロックを変換し交流成分変換係数を出力する交流成分変換部とを備える変換部、変換係数をエントロピー符号化するエントロピー符号化部と
　ｃ　を備える階層的動画像符号化装置。」
４．対比
　本願発明と引用発明を対比する。
（１）本願発明の構成Ａと引用発明の構成ａ−１について
　引用発明の構成ａ−１の「外部より入力される映像信号」は、本願発明の「入力ビデオ信号」に相当し、何らかの解像度を有するものであるから、本願発明のように「第１の解像度に対応する」と称することができ、「第１の解像度に対応する入力ビデオ信号」に相当する。
　また、引用発明の「１６×１６画素サイズのマクロブロック」は、映像信号を分割したものであり、映像信号の一部といえるので、本願発明の「入力ビデオ信号の一部」に相当する。
　さらに、「１６×１６画素サイズのマクロブロックを、さらに小さい２×２画素サイズのマイクロブロックに分割する」ことにおいては、映像信号から選択された映像信号の一部であるマクロブロックを、さらに細かく分割するものといえるので、本願発明の「入力ビデオ信号の一部を選択し、前記部分をパーティションに分割する」ことに相当する。
　したがって、本願発明の構成Ａと引用発明の構成ａ−１は、「第１の解像度に対応する入力ビデオ信号の一部を選択し、前記部分をパーティションに分割する」点で共通する。
　しかし、引用発明は、部分をパーティションに分割することを「階層化部」で行うのに対し、本願発明は、「プリプロセッサ」で行う点で相違する。
（２）本願発明の構成Ｂと引用発明の構成ａ−２について
　引用発明の構成ａ−２では、「それぞれのマイクロブロックに対して、ＤＣＴにより、直流成分と交流成分を分離」しており、ＤＣＴを行った場合、『空間領域から周波数領域にマイクロブロックを変換する』構成となることは技術常識である。
　このとき、『空間領域』、『周波数領域』は、本願発明の「第１の領域」、「第２の領域」にそれぞれ相当する。
　また、上記（１）で検討したように、引用発明の『マイクロブロック』は、本願発明の「パーティション」に相当する。
　したがって、本願発明の構成Ｂと引用発明の構成ａ−２は、「第１の領域から第２の領域に前記パーティションを変換する」点で共通する。
　しかし、引用発明は、パーティションを変換することを「階層化部」で行うのに対し、本願発明は、「第１の変換器」で行う点で相違する。
（３）本願発明の構成Ｃ、Ｄと引用発明の構成ａ−１、ａ−３について
　引用発明の構成ａ−１より、外部より入力される映像信号を分割したマクロブロックは、１６×１６画素サイズであり、構成ａ−３より、直流成分ブロック及び交流成分ブロックは、８×８画素サイズであるから、「直流成分ブロック及び交流成分ブロック」は、「外部より入力される映像信号」よりも低い解像度である。
　ここで、上記（１）のように、「外部より入力される映像信号」の解像度を、本願発明のように「第１の解像度」と称すると、「直流成分ブロック及び交流成分ブロック」の解像度は、「第１の解像度より低い解像度である第２の解像度」と称することができる。
　さらに、「直流成分ブロック及び交流成分ブロック」は、構成ｂにより符号化されるので、符号化された直流成分ブロックと符号化された交流成分ブロックは、「第１の解像度より低い解像度である第２の解像度」に従うといえる。
　また、『符号化された直流成分ブロック』、『符号化された交流成分ブロック』は、ともに、本願発明の「出力符号化ビデオ信号」に相当する。
　したがって、引用発明においても、本願発明のように、「出力符号化ビデオ信号に対応し前記第１の解像度より低い解像度である第２の解像度に従」うものといえる。
　構成ａ−３は、成分ごとに分けて該成分のみから形成される直流成分ブロック及び交流成分ブロックを出力するものであるから、『ＤＣＴにより分離された１つの直流成分と３つの交流成分から直流成分を選択し、直流成分を収集して、８×８画素サイズの１つの直流成分ブロックを形成し、交流成分を選択し、交流成分を収集して、８×８画素サイズの３つの交流成分ブロックを形成する』といえる。
　ここで、引用発明における、低い解像度の再生画像を得るために必要な『直流成分』に着目すると、『ＤＣＴにより分離された１つの直流成分と３つの交流成分から直流成分を選択』することは、周波数領域におけるそれぞれのマイクロブロックから周波数領域に基づく１つの直流成分を選択することであるから、本願発明の構成Ｃの「前記第２の領域のそれぞれの前記パーティションから周波数領域に基づく１つの代表的な値を選択」することに相当する。
　さらに、『直流成分を収集して、８×８画素サイズの１つの直流成分ブロックを形成』することは、本願発明の構成Ｄの「前記代表的な値を収集して代表的な値のグループを形成する」ことに相当する。
　したがって、本願発明の構成Ｃ、Ｄと引用発明の構成ａ−３は、
「出力符号化ビデオ信号に対応し前記第１の解像度より低い解像度である第２の解像度に従って、前記第２の領域のそれぞれの前記パーティションから周波数領域に基づく１つの代表的な値を選択し、
　前記代表的な値を収集して代表的な値のグループを形成する」
点で共通する。
　しかし、引用発明は、１つの代表的な値を選択すること、代表的な値のグループを形成することを「階層化部」で行うのに対し、本願発明は、１つの代表的な値を選択することは「セレクタ」で行い、代表的な値のグループを形成することは「コレクタ」で行う点、１つの代表的な値を選択することに関して、引用発明は、本願発明のように、「他の値を廃棄する」のか否か不明である点で相違する。
　
（４）本願発明の構成Ｅと引用発明の構成ｂについて
　引用発明の構成ｂの「各成分ブロックの差分データを出力する差分データ生成部、差分データに対して直流成分ブロックを変換し直流成分変換係数を出力する直流成分変換部と交流成分ブロックを変換し交流成分変換係数を出力する交流成分変換部とを備える変換部」は、「変換係数をエントロピー符号化する」際の「変換係数」を出力するために備えられている構成であるから、「エントロピー符号化」のための構成といえ、構成ｂは、各成分ブロックを符号化しているといえる。
　また、エントロピー符号化して出力される信号は、「符号化された直流成分ブロック」及び「符号化された交流成分ブロック」であり、上記（３）と同様に、低い解像度の再生画像を得るために必要な「直流成分」に着目すると、引用発明は、『直流成分ブロックを符号化し、符号化された直流成分ブロックを生成する』ものである。
　このとき、『直流成分ブロック』、『符号化された直流成分ブロック』は、本願発明の「代表的なグループ」、「出力符号化ビデオ信号」にそれぞれ相当する。
　したがって、本願発明の構成Ｅと引用発明の構成ｂは、「前記代表的なグループを符号化し、前記出力符号化ビデオ信号を生成する」点で共通する。
　しかし、符号化することに関して、引用発明は、「差分データ生成部」、「変換部」、「エントロピー符号化部」で行うのに対し、本願発明は、「第１の符号化ユニット」で行う点で相違する。
（５）本願発明の構成Ｆと引用発明の構成ｄについて
　引用発明の構成ｄの「階層的動画像符号化装置」は、動画像を符号化する装置であるから、本願発明の構成Ｆの「ビデオ信号エンコーダ」に相当する。
（６）一致点・相違点
　したがって、上記（１）〜（５）により、本願発明と引用発明は、以下の点で一致ないし相違する。
（一致点）
「第１の解像度に対応する入力ビデオ信号の一部を選択し、前記部分をパーティションに分割し、
　第１の領域から第２の領域に前記パーティションを変換するようにし、
　出力符号化ビデオ信号に対応し前記第１の解像度より低い解像度である第２の解像度に従って、前記第２の領域のそれぞれの前記パーティションから周波数領域に基づく１つの代表的な値を選択し、
　前記代表的な値を収集して代表的な値のグループを形成するようにし、
　前記代表的なグループを符号化し、前記出力符号化ビデオ信号を生成するようにした
　ビデオ信号エンコーダ。」
（相違点）
＜相違点１＞
　部分をパーティションに分割することに関して、本願発明は、「プリプロセッサ」で行うのに対し、引用発明は、「階層化部」で行う点。
＜相違点２＞
　パーティションを変換することに関して、本願発明は、「第１の変換器」で行うのに対し、引用発明は、「階層化部」で行う点。
＜相違点３＞
　１つの代表的な値を選択すること、代表的な値のグループを形成することに関して、本願発明は、１つの代表的な値を選択することは「セレクタ」で行い、代表的な値のグループを形成することは「コレクタ」で行うのに対し、引用発明は、いずれも「階層化部」で行う点。
＜相違点４＞
　１つの代表的な値を選択することに関して、本願発明は「他の値を廃棄する」構成であるのに対し、引用発明は、そのような構成を有するのか否か不明である点。
　
＜相違点５＞
　符号化することに関して、本願発明は、「第１の符号化ユニット」で行うのに対し、引用発明は、「差分データ生成部」、「変換部」、「エントロピー符号化部」で行う点。
５．当審の判断
　上記相違点について検討する。
（１）相違点１〜３、５について
　相違点１〜３をまとめると、本願発明が、「プリプロセッサ」、「第１の変換器」、「セレクタ」、「コレクタ」で行うことを、引用発明は、いずれも「階層化部」で行う点で相違するものである。また、相違点５は、本願発明が、「第１の符号化ユニット」で行うことを、引用発明は、「差分データ生成部」、「変換部」、「エントロピー符号化部」で行う点で相違するものである。
　データを処理する装置において、複数の異なる処理を行う場合、一つの処理部で行うことも、複数の処理部に分けて順に行うことも、いずれも周知技術であり、いずれの構成を採用するかについては、当業者が適宜なし得ることであるから、引用発明の「階層化部」で行う処理を複数の処理部で行うようにし、本願発明のように、「プリプロセッサ」、「第１の変換器」、「セレクタ」、「コレクタ」で行うようにし、引用発明の「差分データ生成部」、「変換部」、「エントロピー符号化部」で行う処理を１つの処理部にまとめ、本願発明のように、「第１の符号化ユニット」で行うようにすることは、当業者が容易に想到し得るものである。
　したがって、相違点１〜３、５については、格別のものではない。
（２）相違点４について
　上記４．（３）で検討したように、引用発明の構成ａ−３は、『ＤＣＴにより分離された１つの直流成分と３つの交流成分から直流成分を選択し、直流成分を収集して、８×８画素サイズの１つの直流成分ブロックを形成し、交流成分を選択し、交流成分を収集して、８×８画素サイズの３つの交流成分ブロックを形成する』ものである。
　ところで、引用発明の構成ｂの「変換部」は、「直流成分ブロックを変換し直流成分変換係数を出力する直流成分変換部と交流成分ブロックを変換し交流成分変換係数を出力する交流成分変換部とを備える」ものであり、直流成分と交流成分は、直流成分変換部と交流成分変換部という異なる変換部にて変換されるものである。
　また、引用例１の段落００２２及び００４０、図５及び９の記載から、逆変換部においても、直流成分の変換係数と交流成分の変換係数は、直流成分逆変換部と交流成分逆変換部という異なる逆変換部にて変換されるものである。
　すなわち、引用例１には、直流成分や交流成分を処理する際に、直流成分と交流成分を異なる処理部にて処理することが開示されているといえる。
　そうすると、引用発明において、『１つの直流成分と３つの交流成分から』『直流成分を選択』することと、『交流成分を選択』することについても、直流成分を選択する選択部と交流成分を選択する選択部というようにそれぞれ異なる選択部を備えるように構成することは、当業者であれば、容易に想到し得るものであり、その際に、直流成分を選択する選択部においては、交流成分は使用されないので、選択されずに廃棄されることとなる。
　したがって、相違点４については、格別のものではない。
　そして、本願発明に関する作用・効果も、引用発明から当業者が予測できる範囲のものである。
　以上のとおりであるから、本願発明は、引用発明に基づいて容易に発明をすることができたものである。
６．むすび
　以上のとおり、本願の請求項１に係る発明は、引用例１に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。